【事件の表示】
　特願２０１５−１５８８３２号「遊技機」拒絶査定不服審判事件〔平成２９年２月１６日出願公開、特開２０１７−３５３２０号〕について、次のとおり審決する。
【結　論】
　本件審判の請求は、成り立たない。
【理　由】
第１　手続の経緯  
　本願は、平成２７年８月１１日の出願であって、平成２８年８月２３日付けの拒絶理由通知に対し、同年１０月２８日に意見書及び手続補正書が提出され、平成２９年３月２７日付けの最後の拒絶理由通知に対し、同年５月３１日に意見書及び手続補正書が提出され、同年１０月３０日付け（発送日：１１月８日）で補正の却下の決定とともに拒絶査定（以下、「原査定」という。）がなされ、これに対して、平成３０年２月６日に拒絶査定不服審判の請求がなされると同時に手続補正（以下、「本件補正」という。）がなされたものである。  
  
第２　本件補正についての補正の却下の決定  
［補正の却下の決定の結論］  
　本件補正を却下する。  
  
［理由］  
１．本件補正の概要  
　本件補正は、本件補正前の特許請求の範囲の請求項１において、遊技機で行われる予告について限定を加えることを主旨とする内容の補正を含むものであって、本件補正前（平成２８年１０月２８日付けの手続補正）と本件補正後の特許請求の範囲の請求項１の記載はそれぞれ、以下のとおりである（下線部は、補正箇所を示す。）。  
  
（本件補正前：平成２８年１０月２８日付け手続補正）  
  
「【請求項１】  
　予め定められた判定条件の成立に起因して、遊技の当り外れの当否判定を行う当否判定手段と、
　前記当否判定の判定結果を報知する報知手段と、
　遊技の進行状況に応じて遊技者による操作が求められる操作子を有する操作装置と、
　前記操作装置に設けられ、電力又は遊技者以外からの動力を受けて作動し、前記操作装置の状態を視認可能に変更させる状態変更手段と、
　予め定められた予告条件の成立に起因して、前記判定結果の報知前に前記操作子の操作を遊技者に求める操作要求手段と、
　前記操作要求手段の求めに応じて前記操作子が操作され、その後、前記操作子が操作されていない非操作状態の場合に、前記状態変更手段により視認可能な前記操作装置の状態を変更することで前記判定結果の当りの予告を行う予告制御手段とを備えたことを特徴とする遊技機。」  
    
（本件補正後：平成３０年２月６日付け手続補正）  
  
「【請求項１】  
　予め定められた判定条件の成立に起因して、遊技の当り外れの当否判定を行う当否判定手段と、
　前記当否判定の判定結果を報知する報知手段と、
　遊技の進行状況に応じて遊技者による操作が求められる操作子を有する操作装置と、
　前記操作装置に設けられ、電力又は遊技者以外からの動力を受けて作動し、前記操作装置の状態を視認可能に変更させる状態変更手段と、
　予め定められた予告条件の成立に起因して、前記判定結果の報知前に前記操作子の操作を遊技者に求める操作要求手段と、
　前記操作要求手段の求めに応じて前記操作子が操作され、その後、前記操作子が操作されていない非操作状態の場合に、前記状態変更手段により視認可能な前記操作装置の状態を変更することで前記判定結果の当りの予告を行う予告制御手段とを備え
、前記予告が前記操作装置のみで行われる
  
  
２．補正の適否 
（以下では、本件補正後や本件補正前を単にそれぞれ「補正後」や「補正前」ともいう。）  
　補正後の請求項１は、補正前の請求項１に記載された発明特定事項である「前記判定結果の当たりの予告」について、「前記予告が前記操作装置のみで行われる」と特定することにより、補正前の請求項１に記載された発明特定事項である「予告」の行われる態様を限定するものである。  
　そして、補正前の請求項１に記載された発明と、補正後の請求項１に記載される発明とは、産業上の利用分野及び解決しようとする課題が同一であるので、本件補正は、特許法第１７条の２第５項第２号に規定する「特許請求の範囲の減縮」を目的とするものに該当する。  
　また、本件補正は、出願当初の明細書の段落【００８８】及び【００９９】の記載に基づいており、いわゆる新規事項を追加するものではない。  
  
３．独立特許要件  
　そこで、本件補正後の請求項１に記載される発明（以下、「本件補正発明」という。）が特許出願の際独立して特許を受けることができるものであるか否か、すなわち、特許法第１７条の２第６項において準用する同法第１２６条第７項の規定に適合するか否か、について以下検討する。  
  
（１）本件補正発明  
　本件補正発明は、上記「１．本件補正の概要」において示した次に特定されるとおりのものである（Ａ〜Ｇについては、発明特定事項を分説するため当審で付した。）。  
  
「Ａ　予め定められた判定条件の成立に起因して、遊技の当り外れの当否判定を行う当否判定手段と、
　Ｂ　前記当否判定の判定結果を報知する報知手段と、
　Ｃ　遊技の進行状況に応じて遊技者による操作が求められる操作子を有する操作装置と、
　Ｄ　前記操作装置に設けられ、電力又は遊技者以外からの動力を受けて作動し、前記操作装置の状態を視認可能に変更させる状態変更手段と、
　Ｅ　予め定められた予告条件の成立に起因して、前記判定結果の報知前に前記操作子の操作を遊技者に求める操作要求手段と、
　Ｆ　前記操作要求手段の求めに応じて前記操作子が操作され、その後、前記操作子が操作されていない非操作状態の場合に、前記状態変更手段により視認可能な前記操作装置の状態を変更することで前記判定結果の当りの予告を行う予告制御手段とを備え、
　Ｇ　前記予告が前記操作装置のみで行われること
　Ｈ　を特徴とする遊技機。」  
  
（２）刊行物に記載された事項 
　原査定の拒絶の理由に引用され、本願の出願前に頒布された刊行物である特開２０１５―７３８４０号公報（以下、「刊行物１」という。）には、図面とともに次の事項が記載されている（下線は当審で付した。）。  
  
　ア　「【００３５】
（パチンコ機の構成）
　図１に示される如く、
パチンコ機１０
　イ　「【００４８】
　遊技盤１８の遊技領域には、釘１９（一部のみ指標）が点在して打ち込まれ、かつ風車２１が取り付けられている。また、遊技領域におけるほぼ中央には、センター役物１０５が配置されている。センター役物１０５は、遊技仕様によって様々な可動部材や装飾部材が取り付けられている。例えば、本実施の形態のセンター役物１０５では、機械的に動作する可動役物装置１０５Ａ、１０５Ｂ、１０５Ｃと、
各種演出等の映像を表示する表示部１０６
【００４９】
　なお、この
表示部１０６は
有効表示領域１０６Ｂとなっている
【００５０】〜【００５１】
（省略）
【００５２】
　
有効表示領域１０６Ｂでは、例えば、特別図柄抽選の結果を報知するための図柄変動出が実行される
　ウ　「【００６９】
　ここで、
特別図柄始動入賞口１３０Ａ又は特別図柄始動入賞口１３０Ｂに遊技球ＰＢが入賞すると、特別図柄抽選が実行される
【００７０】
　
この特別図柄抽選において「大当たり」に当選すると、前記センターアタッカー１１２Ａ又は右アタッカー１１２Ｂの開閉扉１１６Ａ又は１１６Ｂが所定のパターンで開閉動作し、これを所定回数（所定ラウンド）繰り返すようになっている
　エ　「【００８０】
（制御系の構成）
　本実施の形態に係るパチンコ機１０の制御系は、図４に示されるように、主制御部１５０を中心として構成されており、この主制御部１５０には、演出制御部１５２と払出制御部１５４とが接続されている。
主制御部１５０には、遊技に関する基本的なプログラムが記憶されており、この主制御部１５０からの命令信号に基づいて、各部の動作が制御されるようになっている
【００８１】〜【００８３】
（省略）
【００８４】
　演出制御部１５２には、入出力系として、前記操作兼表示ユニット５０が接続されている。また、演出制御部１５２には、出力系として、パチンコ機１０の各種遊技部品に設けられた照明演出用の光源１３７、スピーカ６０、センター役物１０５内での可動役物装置１０５Ａ〜１０５Ｃを動作させるセンター役物駆動系１１１が接続されている。
【００８５】
　さらに、
演出制御部１５２には、図柄制御部１５６を介して表示部１０６が接続されている
　オ　「【００９２】
　
操作兼表示ユニット５０は、ベース部材２０２を備えている
【００９３】〜【０１００】
（省略）
【０１０１】
　
ベース部材２０２の上端面には、液晶表示部２１２が取り付けられている。液晶表示部２１２は、図４に示した演出制御部１５２によって制御され、様々な画像を表示することができる
【０１０２】
　また、
ベース部材２０２の上端面には、透明の保護カバー２１４が取り付けられている
前記液晶表示部２１２は、この保護カバー２１４の内方に収容された状態となる
【０１０３】〜【０１０５】
（省略）
【０１０６】
　これに対して、本実施の形態では、
前記有効表示領域１０６Ｂで操作を促された後、操作兼表示ユニット５０の表示系が、有効表示領域１０６Ｂと連携して、操作に関するタイミングや操作に基づく結果等を表示する
【０１０７】
　
遊技者は、この操作兼表示ユニット５０の表示を見ながら操作を行うことになる。この結果、遊技者の視線は、一時的に操作兼表示ユニット５０に向き、単調な遊技に依存する視線の固定が解消されることになる
　カ　「【０１３２】
　
特別図柄抽選は、有効表示領域１０６Ｂにて実行される図柄変動出（図２の矢印ＺＬ、ＺＣ、ＺＲが図柄変動中を意味する。）によって、遊技者に対し抽選結果の報知が実行される。図柄変動出は、主制御部１５０からの指示信号等に基づき、図柄変動パターン選択テーブルから図柄変動パターン種が選択されて実行される
【０１３３】
　特別図柄抽選に当選すると、センターアタッカー１１２Ａ又は右アタッカー１１２Ｂの開閉扉１１６Ａ又は１１６Ｂが、所定時間及び所定回数開放して、遊技球の入賞を通常遊技状態よりも飛躍的に高める大役処理が実行される。」
　キ　「【０１３８】
　ここで、本実施の形態では、
遊技者が演出に介入することができる操作系として、操作兼表示ユニット５０を設けている
【０１３９】
　この
操作兼表示ユニット５０は、一部の演出によって促されて
操作する操作機能を備える
【０１４０】〜【０１４２】
（省略）
【０１４３】
　このように、本実施の形態の
操作兼表示ユニット５０は、保護カバー２１４が実質的な操作面５０Ａとなり
保護カバー２１４の押圧操作による移動
操作面５０Ａが同時に液晶表示部２１２に表示される画像を認識する視認面となり得
　ク　「【０１７０】
（使用形態８）
　パチンコ機１０の稼働中における演出の１つとして、
操作兼表示ユニット５０の操作面５０Ａの操作前（操作面に手をあてがって押圧する前）と、操作後（操作面にあてがうことで隠蔽された操作面が見えるように手をどかした後）とで表示内容を変化させる
【０１７１】
　図１０（Ａ）は、
液晶表示部２１２に「押」の文字を表示した後、遊技者が手のひらで操作面５０Ａを隠蔽しつつ操作し、その後、手をどけると、表示が特別なメッセージ（例えば、「当」等の予告メッセージ）に変化する
【０１７２】〜【０１７３】
（省略）
【０１７４】
　
ステップ２５０では、表示部１０６の有効表示領域１０６Ｂに操作を促すメッセージを表示し
ステップ２５４へ移行する
【０１７５】
　
ステップ２５４では、操作兼表示ユニット５０の液晶表示部２１２に、第１の画像（例えば、図１０では、「押」の文字）を表示し、ステップ２５６へ移行する
【０１７６】
　ステップ２５６では、遊技者が操作面５０Ａを操作したか否かが判断され、否定判定されると、ステップ２５８へ移行する。ステップ２５８では、タイムアップしたか否かが判断され、否定判定された場合は、ステップ２５６へ戻る。また、ステップ２５８で肯定判定された場合は、遊技者が操作面５０Ａを操作する意思がないと判断し、ステップ２７０へ移行する。
【０１７７】
　前記ステップ２５６で肯定判定、すなわち、操作面５０Ａの操作開始が確認されると、ステップ２６０へ移行して操作の実行を演出制御部１５２へ通知し、ステップ２６２へ移行する。このとき、遊技者は、手のひらを操作面５０Ａに置くため、操作面５０Ａが隠蔽されて、液晶表示部２１２の表示内容が見えなくなる。
【０１７８】
　ステップ２６２では、操作が終了したか（遊技者が操作面５０Ａから手をどかしたか）否かが判断され、否定判定された場合は、ステップ２６４へ移行する。ステ２６４では、タイムアップしたか否かが判断され、否定判定された場合は、ステップ２６２へ戻る。また、ステップ２６４で肯定判定された場合は、遊技者の操作面５０Ａの操作が長く、次の遊技の進行に移行するべく、ステップ２７０へ移行する。
【０１７９】
　前記ステップ２６２で肯定判定、すなわち、遊技者が操作面５０Ａから手をどかし、操作面５０Ａの操作終了が確認されると、ステップ２６６へ移行して、操作兼表示ユニット５０の液晶表示部２１２に、第２の画像（例えば、図１０では、「当」の文字）を表示し、ステップ２６８へ移行する。
【０１８０】〜【０１８１】
（省略）
【０１８２】
　使用形態８では、パチンコ機１０の稼働中において、遊技者の介入として、従前の「操作」に加え、遊技者の動作（手の位置）を演出の１つにすることができ、遊技者の趣興性を高めることができる。」
　上記ア〜クの記載事項から、以下の事項が導かれる。  
  
（２−ａ）上記ウ【００６９】には、「特別図柄始動入賞口１３０Ａ又は特別図柄始動入賞口１３０Ｂに遊技球ＰＢが入賞すると、特別図柄抽選が実行される」と記載され、【００７０】には、「この特別図柄抽選において「大当たり」に当選すると、前記センターアタッカー１１２Ａ又は右アタッカー１１２Ｂの開閉扉１１６Ａ又は１１６Ｂが所定のパターンで開閉動作し、これを所定回数（所定ラウンド）繰り返すようになっている」と記載されている。
　また、上記エ【００８０】には、「主制御部１５０には、遊技に関する基本的なプログラムが記憶されており、この主制御部１５０からの命令信号に基づいて、各部の動作が制御されるようになっている」と記載され、上記カ【０１３２】には、「特別図柄抽選は、・・・図柄変動出・・・によって、遊技者に対し抽選結果の報知が実行される。図柄変動出は、主制御部１５０からの指示信号等に基づき、図柄変動パターン選択テーブルから図柄変動パターン種が選択されて実行される」と記載されている。
　そうすると、「主制御部１５０」は、「特別図柄始動入賞口１３０Ａ又は特別図柄始動入賞口１３０Ｂに遊技球ＰＢが入賞すると」、「特別図柄抽選」を「実行」し、「大当たりに当選」したか否かの判断を行っているといえる。
　したがって、刊行物１には、「特別図柄始動入賞口１３０Ａ又は１３０Ｂに遊技球ＰＢが入賞すると、特別図柄抽選を実行し、大当たりに当選したか否かの判断を行う主制御部１５０」が記載されているといえる。
（２−ｂ）上記イ【００４８】には、「各種演出等の映像を表示する表示部１０６」が記載され、【００４９】及び【００５２】には、「この表示部１０６」の「有効表示領域１０６Ｂ」では、「特別図柄抽選の結果を報知するための図柄変動出が実行される」と記載されている。
　また、上記カ【０１３２】には、「特別図柄抽選は、有効表示領域１０６Ｂにて実行される図柄変動出・・・によって、遊技者に対し抽選結果の報知が実行される」と記載されている。
　そうすると、刊行物１には、「特別図柄抽選の抽選結果を報知する表示部１０６」が記載されているといえる。
（２−ｃ）上記キ【０１３８】には、「遊技者が演出に介入することができる操作系」として「操作兼表示ユニット５０」を設けることが記載され、 【０１３９】には、「操作兼表示ユニット５０」は、「一部の演出によって促されて」「操作する操作機能を備える」ことが記載されている。
　また、上記オ【００９２】には、「操作兼表示ユニット５０」は「ベース部材２０２」を備えることが記載され、【０１０２】には、「ベース部材２０２の上端面には、透明の保護カバー２１４が取り付けられ」ることが記載されている。
　また、上記キ【０１４３】には、「操作兼表示ユニット５０」の「保護カバー２１４」が「実質的な操作面５０Ａ」となり、「保護カバー２１４」が「押圧操作」により「移動」することが記載されている。
　そうすると、刊行物１には、「一部の演出によって操作を促され、遊技者が演出に介入することができる操作系であって、押圧操作される操作面５０である透明の保護カバー２１４がベース部材２０２の上端面に取り付けられた操作兼表示ユニット５０」が記載されているといえる。
（２−ｄ）上記オ【０１０１】には、「ベース部材２０２の上端面には、液晶表示部２１２が取り付けられている」ことが記載され、【０１０２】には、「前記液晶表示部２１２」は、「保護カバー２１４の内方に収容された状態となる」ことが記載され、【０１０７】には、「遊技者は、この操作兼表示ユニット５０の表示を見ながら操作を行うこと」が記載されている。
　また、上記ク【０１７０】には、「操作兼表示ユニット５０の操作面５０Ａの操作前（操作面に手をあてがって押圧する前）と、操作後（操作面にあてがうことで隠蔽された操作面が見えるように手をどかした後）とで表示内容を変化させる」ことが記載されている。
　そうすると、刊行物１には、「操作兼表示ユニット５０のベース部材２０２の上端面に取り付けられ、操作面５０Ａの操作前（操作面に手をあてがって押圧する前）と、操作後（操作面にあてがうことで隠蔽された操作面が見えるように手をどかした後）とで表示内容を変化させて、遊技者が表示を見ながら操作を行うことができるようにした液晶表示部２１２」が記載されているといえる。
（２−ｅ）上記ク【０１７４】には、「ステップ２５０では、表示部１０６の有効表示領域１０６Ｂに操作を促すメッセージを表示し、・・・ステップ２５４へ移行する」と記載され、【０１７５】には、「ステップ２５４では、操作兼表示ユニット５０の液晶表示部２１２に、第１の画像（例えば、図１０では、「押」の文字）を表示し、ステップ２５６へ移行する」と記載されている。また、【０１７１】には、「液晶表示部２１２に「押」の文字を表示した後、遊技者が手のひらで操作面５０Ａを隠蔽しつつ操作し、その後、手をどけると、表示が特別なメッセージ（例えば、「当」等の予告メッセージ）に変化する」ことが記載されている。
　そして、上記オ【０１０１】には、「液晶表示部２１２」は、「演出制御部１５２によって制御され、様々な画像を表示することができる」ことが記載されており、上記エ【００８５】には、「演出制御部１５２には、図柄制御部１５６を介して表示部１０６が接続されている」ことが記載されている。
　そうすると、刊行物１には、「操作を促すメッセージが表示部１０６の有効表示領域１０６Ｂに表示され、「押」の文字が画像として液晶表示部２１２に表示された後、「当」の予告メッセージが液晶表示部２１２に表示されるように制御する演出制御部１５２」が記載されているといえる。
（２−ｆ）上記ク【０１７４】には、「表示部１０６の有効表示領域１０６Ｂに操作を促すメッセージを表示し、・・・ステップ２５４へ移行する」と記載され、【０１７５】には、「ステップ２５４では、操作兼表示ユニット５０の液晶表示部２１２に、第１の画像（例えば、図１０では、「押」の文字）を表示し」と記載されている。また、上記ク【０１７１】には、「液晶表示部２１２に「押」の文字を表示した後、遊技者が手のひらで操作面５０Ａを隠蔽しつつ操作し、その後、手をどけると、表示が特別なメッセージ（例えば、「当」等の予告メッセージ）に変化する」ことが記載されている。
　また、上記オ【０１０１】には、「液晶表示部２１２」は、「演出制御部１５２によって制御され、様々な画像を表示することができる」ことが記載されている。
　そうすると、刊行物１には、「表示部１０６の有効表示領域１０６Ｂに操作を促すメッセージが表示され、液晶表示部２１２に「押」の文字が表示された後、遊技者が手のひらで操作面５０Ａを隠蔽しつつ操作し、その後、手をどけると、「当」等の予告メッセージに表示が変化するように表示制御を行う演出制御部１５２」が記載されているといえる。
（２−ｇ）上記オ【０１０６】には、「前記有効表示領域１０６Ｂで操作を促された後、操作兼表示ユニット５０の表示系が、有効表示領域１０６Ｂと連携して、操作に関するタイミングや操作に基づく結果等を表示する」と記載され、【０１０７】には、「遊技者は、この操作兼表示ユニット５０の表示を見ながら操作を行うことになる。この結果、遊技者の視線は、一時的に操作兼表示ユニット５０に向き、単調な遊技に依存する視線の固定が解消されることになる」と記載されている。
　また、上記ク【０１７１】には、「遊技者が手のひらで操作面５０Ａを隠蔽しつつ操作し、その後、手をどけると、表示が特別なメッセージ（例えば、「当」等の予告メッセージ）に変化する」と記載されているから、この「「当」等の予告メッセージ」は「操作に基づく結果」であるといえる。
　そうすると、刊行物１には、「表示部１０６の有効表示領域１０６Ｂに操作に関するタイミングが表示されて操作を促された後、遊技者の視線は一時的に操作兼表示ユニット５０に向き、遊技者はこの操作兼表示ユニット５０の表示を見ながら操作を行い、操作兼表示ユニット５０の表示系が操作に基づく結果として「当」等の予告メッセージの表示を行う」ことが記載されているといえる。
（２−ｈ）上記ア【００３５】には、「パチンコ機１０」が記載されている。
  
　上記（２−ａ）〜（２−ｈ）の認定事項を総合すれば、刊行物１には、以下の発明（以下、「引用発明」という。）が記載されていると認められる（ａ〜ｇは発明の構成を分説するため当審で付した。）。  
  
「ａ　特別図柄始動入賞口１３０Ａ又は１３０Ｂに遊技球ＰＢが入賞すると、特別図柄抽選を実行し、大当たりに当選したか否かの判断を行う主制御部１５０と、
　ｂ　特別図柄抽選の抽選結果を報知する表示部１０６と、
　ｃ　一部の演出によって操作を促され、遊技者が演出に介入することができる操作系であって、押圧操作される操作面５０である透明の保護カバー２１４がベース部材２０２の上端面に取り付けられた操作兼表示ユニット５０と、
　ｄ　操作兼表示ユニット５０のベース部材２０２の上端面に取り付けられ、操作面５０Ａの操作前（操作面に手をあてがって押圧する前）と、操作後（操作面にあてがうことで隠蔽された操作面が見えるように手をどかした後）とで表示内容を変化させて、遊技者が表示を見ながら操作を行うことができるようにした液晶表示部２１２と、
　ｅ　操作を促すメッセージが表示部１０６の有効表示領域１０６Ｂに表示され、「押」の文字が画像として液晶表示部２１２に表示された後、「当」の予告メッセージが液晶表示部２１２に表示されるように制御する演出制御部１５２と、
　ｆ　表示部１０６の有効表示領域１０６Ｂに操作を促すメッセージが表示され、液晶表示部２１２に「押」の文字が表示された後、遊技者が手のひらで操作面５０Ａを隠蔽しつつ操作し、その後、手をどけると、「当」等の予告メッセージに表示が変化するように表示制御を行う演出制御部１５２とを備え、
　ｇ　表示部１０６の有効表示領域１０６Ｂに操作に関するタイミングが表示されて操作を促された後、遊技者の視線は一時的に操作兼表示ユニット５０に向き、遊技者はこの操作兼表示ユニット５０の表示を見ながら操作を行い、操作兼表示ユニット５０の表示系が操作に基づく結果として「当」等の予告メッセージの表示を行う、
　ｈ　パチンコ機１０。」　  
（３）対比  
　本件補正発明と引用発明とを対比する。 
　なお、見出しは（ａ）〜（ｈ）とし、本件補正発明、引用発明の分説に対応させている。  
  
（ａ）引用発明の「特別図柄始動入賞口１３０Ａ又は１３０Ｂに遊技球ＰＢが入賞する」ことは、本件補正発明の「予め定められた判定条件」が「成立」することに相当する。また、引用発明では、「特別図柄始動入賞口１３０Ａ又は１３０Ｂに遊技球ＰＢが入賞すると、特別図柄抽選を実行」しているから、遊技球ＰＢの入賞に起因して、特別図柄抽選を実行しているといえる。
　さらに、引用発明の「大当たりに当選したか否かの判断」は、本件補正発明の「遊技の当り外れの当否判定」に相当するから、引用発明の「主制御部１５０」は、本件補正発明の「当否判定手段」に相当する。。
　したがって、引用発明の構成ａである「特別図柄始動入賞口１３０Ａ又は１３０Ｂに遊技球ＰＢが入賞すると、特別図柄抽選を実行し、大当たりに当選したか否かの判断を行う主制御部１５０」は、本件補正発明の構成Ａである「予め定められた判定条件の成立に起因して、遊技の当り外れの当否判定を行う当否判定手段」に相当する。 
  
（ｂ）引用発明の「特別図柄抽選の抽選結果」は、本件補正発明の「前記当否判定の判定結果」に相当する。また、引用発明の「表示部１０６」は本件補正発明の「報知手段」に相当する。
　したがって、引用発明の構成ｂである「特別図柄抽選の抽選結果を報知する表示部１０６」は、本件補正発明の構成Ｂである「前記当否判定の判定結果を報知する報知手段」に相当する。  
  
（ｃ）引用発明では、「一部の演出によって操作を促され、遊技者が演出に介入することができる操作系」を有するから、このことは、本件補正発明の「遊技の進行状況に応じて遊技者による操作が求められる操作子を有する」ことに相当する。
　また、引用発明の「押圧操作される操作面５０である透明の保護カバー２１４」は、本件補正発明の「操作子」に相当し、引用発明の「透明の保護カバー２１４がベース部材２０２の上端面に取り付けられた操作兼表示ユニット５０」は、本件補正発明の「操作子を有する操作装置」に相当する。
　よって、引用発明の構成ｃである「一部の演出によって操作を促され、遊技者が演出に介入することができる操作系であって、押圧操作される操作面５０である透明の保護カバー２１４がベース部材２０２の上端面に取り付けられた操作兼表示ユニット５０」は、本件補正発明の構成Ｃである「遊技の進行状況に応じて遊技者による操作が求められる操作子を有する操作装置」に相当する。
（ｄ）引用発明の「液晶表示部２１２」は、「操作兼表示ユニット５０のベース部材２０２の上端面に取り付けられ」ており、電力の供給を受けて動作することは自明である。
　そして、遊技者は、手をあてがう前の液晶表示部２１２の表示内容と手をどかした後の表示内容を見て、その変化を読み取ることができ、その表示内容を伴った操作兼表示ユニット５０の状態が変更されれることを液晶表示部２１２により視認できるといえるから、引用発明の「液晶表示部２１２」は、本件補正発明の「前記操作装置の状態を視認可能に変更させる状態変更手段」に相当する。
　よって、引用発明の構成ｄである「操作兼表示ユニット５０のベース部材２０２の上端面に取り付けられ、操作面５０Ａの操作前（操作面に手をあてがって押圧する前）と、操作後（操作面にあてがうことで隠蔽された操作面が見えるように手をどかした後）とで表示内容を変化させて、遊技者が表示を見ながら操作を行うことができるようにした液晶表示部２１２」は、本件補正発明の構成Ｄである「前記操作装置に設けられ、電力又は遊技者以外からの動力を受けて作動し、前記操作装置の状態を視認可能に変更させる状態変更手段」に相当する。
（ｅ）引用発明では、「予告メッセージ」が表示されることから、予め定められた予告条件が成立していることを前提としているといえる。
　また、引用発明の「操作を促すメッセージが表示部１０６の有効表示領域１０６Ｂに表示され」ることや、「「押」の文字が画像として液晶表示部２１２に表示され」ることは、本件補正発明の「前記操作子の操作を遊技者に求める」ことに相当する。
　そして、「予告」は「結果の報知前」に行われるものであるから、「操作を促すメッセージ」や「「押」の文字」により遊技者に操作を求めることも、「結果の報知前」に行われているといえる。
　よって、引用発明の構成ｅである「操作を促すメッセージが表示部１０６の有効表示領域１０６Ｂに表示され、「押」の文字が画像として液晶表示部２１２に表示された後、「当」の予告メッセージが液晶表示部２１２に表示されるように制御する演出制御部１５２」は、本件補正発明の構成Ｅである「予め定められた予告条件の成立に起因して、前記判定結果の報知前に前記操作子の操作を遊技者に求める操作要求手段」に相当する。 
（ｆ）引用発明の「表示部１０６の有効表示領域１０６Ｂに操作を促すメッセージが表示され、液晶表示部２１２に「押」の文字が表示された後、遊技者が手のひらで操作面５０Ａを隠蔽しつつ操作」することは、本件補正発明の「前記操作要求手段の求めに応じて前記操作子が操作され」ることに相当し、引用発明の「その後、手をどける」ことは、本件補正発明の「その後、前記操作子が操作されていない非操作状態」にすることに相当する。
　また、引用発明の「表示が変化するように表示制御を行う」ことは、本件補正発明の「前記状態変更手段により視認可能な前記操作装置の状態を変更すること」に相当し、引用発明の「「当」等の予告メッセージ」は、本件補正発明の「前記判定結果の当りの予告」に相当する。
　よって、引用発明の構成ｆである「表示部１０６の有効表示領域１０６Ｂに操作を促すメッセージが表示され、液晶表示部２１２に「押」の文字が表示された後、遊技者が手のひらで操作面５０Ａを隠蔽しつつ操作し、その後、手をどけると、「当」等の予告メッセージに表示が変化するように表示制御を行う演出制御部１５２」は、本件補正発明の構成Ｆである「前記操作要求手段の求めに応じて前記操作子が操作され、その後、前記操作子が操作されていない非操作状態の場合に、前記状態変更手段により視認可能な前記操作装置の状態を変更することで前記判定結果の当りの予告を行う予告制御手段」に相当する。
（ｇ）引用発明では、「操作兼表示ユニット５０の表示系が操作に基づく結果として「当」等の予告メッセージの表示を行う」から、予告が操作兼表示ユニット５０で行われるといえる。
　よって、本件補正発明Ｇと引用発明の構成ｇとは、「前記予告が前記操作装置で行われる」ことで共通する。
（ｈ）引用発明の構成ｈである「パチンコ機１０。」は、本件補正発明の構成Ｈである「遊技機。」に相当する。
　上記（ａ）〜（ｈ）の対比により、本件補正発明と引用発明とは、  
  
「Ａ　予め定められた判定条件の成立に起因して、遊技の当り外れの当否判定を行う当否判定手段と、
　Ｂ　前記当否判定の判定結果を報知する報知手段と、
　Ｃ　遊技の進行状況に応じて遊技者による操作が求められる操作子を有する操作装置と、
　Ｄ　前記操作装置に設けられ、電力又は遊技者以外からの動力を受けて作動し、前記操作装置の状態を視認可能に変更させる状態変更手段と、
　Ｅ　予め定められた予告条件の成立に起因して、前記判定結果の報知前に前記操作子の操作を遊技者に求める操作要求手段と、
　Ｆ　前記操作要求手段の求めに応じて前記操作子が操作され、その後、前記操作子が操作されていない非操作状態の場合に、前記状態変更手段により視認可能な前記操作装置の状態を変更することで前記判定結果の当りの予告を行う予告制御手段とを備え、
　Ｇ’前記予告が前記操作装置で行われる、
　Ｈ　遊技機。」  
  
である点で一致し、以下の点で相違する。  
  
［相違点］  
　本件補正発明では、「前記予告が前記操作装置
のみ
のみ
（４）判断  
　上記相違点について検討する。 
　引用発明の「表示部１０６の有効表示領域１０６Ｂ」において、「予告」が行われるかどうかについては、刊行物１に明示されていない。
　他方、引用発明の構成ｇでは、「表示部１０６の有効表示領域１０６Ｂに操作に関するタイミングが表示されて操作を促された後、遊技者の視線は一時的に操作兼表示ユニット５０に向き、遊技者はこの操作兼表示ユニット５０の表示を見ながら操作を行い、操作兼表示ユニット５０の表示系が操作に基づく結果として「当」等の予告メッセージの表示を行う」とされており、たとえ「有効表示領域１０６Ｂ」において「予告」が行われていたとしても、引用発明は、当たりの予告を行う際に遊技者の視線を表示部１０６から操作兼表示ユニット５０に向けることを主眼として演出し、【０１０７】に記載のとおり、単調な遊技に依存する視線の固定を解消している。つまり、予告を行う主たる構成は「操作兼表示ユニット５０」であり、刊行物１において明示されていない「有効表示領域１０６Ｂにおいて予告を行うかどうか」については、当業者が適宜選択し得る程度の事項であると認められ、本件補正発明のように「前記予告が前記操作装置のみで行われる」ように構成することに格別の発明性があるとは認められない。
（５）審判請求人の主張について  
　審判請求書において、請求人は、 
「（３）引用文献との対比 
　引用文献１には、明細書の段落[０１７０]及び図１０（Ａ）に、「操作兼表示ユニット５０の操作面５０Ａの操作前と、操作後とで表示内容を変化させる。」と記載されているものの、段落[０１０６]には、「操作兼表示ユニット５０の表示系が、有効表示領域１０６Ｂと連携して、・・・操作に基づく結果等を表示する」と記載されています。 
　即ち、引用文献１の発明は、操作装置において予告が実行される構成であるものの、その操作装置での予告は、遊技盤に備えられた表示装置での予告なしには実行することができない構成であります。つまり、引用文献１の発明は、予告が表示装置ありきで実行される構成となっています。 
　引用文献２には、段落[０１５９]〜[０１６２]及び図１９に、操作子を操作することで予告を実行する構成の記載はあるものの、その予告は表示装置でしか実行されない構成となっています。 
　また、最初の拒絶理由通知書で引用された特願２０１１−２１２１３６号公報（以下、「引用文献３」という）においても、明細書の段落[０３７３]及び図２７，２８に、操作子を操作することで予告を実行する構成の記載はありものの、その予告は表示装置でしか実行されない構成となっています。なお、引用文献３の発明では、操作子を操作する前に操作装置の状態が変化し、操作子の操作後もその変化後の状態が継続する構成となっており、操作子の操作により実行される予告は表示装置でのもののみとなっています。 
　このように、遊技機は、予告は表示装置で行われることが技術常識となっています。 
　これに対し、本願発明は、予告を「表示装置とは別の装置」でのみ行い、表示装置では予告を行わないという、上記技術常識からかけ離れた特徴的な構成を備えています。しかも、その「表示装置とは別の装置」が、「予告を得るための操作を行う操作装置」である点も特徴になっています。このように、本願発明は、上記引用文献１〜３に基づいて当業者が容易に想到し得ない特徴的な構成を有しています。 
　そして、これら特徴的な構成により、本願発明では、前述した通り、遊技機（操作要求手段）に促されて操作装置の操作子を操作してみたら、その手元だけで、当りの予告を得ることができ、斬新な遊技感覚を楽しむことができるという顕著な効果を奏します。」 
と主張している。 
　しかしながら、上記（４）において検討したとおり、操作兼表示ユニット５０において予告メッセージを表示する演出上の意義を考慮すると、引用発明（引用文献１）において、表示装置（表示部１０６）では予告は行われず、予告を得るための操作を行う操作装置（操作兼表示ユニット５０）でのみ行われるように構成することに格別の困難性はなく、操作兼表示ユニット５０に遊技者の視線を向けるように「前記予告が前記操作装置のみで行われる」ように構成することは、当業者ならば容易に為し得たものにすぎない。
　そして、請求人が主張する上記効果は、引用発明から当業者が予測し得た範囲のものであり格別なものとはいえない。  
　よって、請求人の上記主張は採用できない。  
  
（６）小括  
　上述のとおりであるから、本件補正発明は、引用発明に基づいて当業者が容易に発明をすることができたものであり、特許法第２９条第２項の規定により特許出願の際独立して特許を受けることができない。  
  
４．むすび  
　以上より、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について 
１．本願発明  
　本件補正発明は、上記第２において述べたとおり却下されたので、本願の請求項１に係る発明（以下、「本願発明」という。）は、平成２８年１０月２８日付けの手続補正書により補正された、上記第２の「１．本件補正の概要」において本件補正前として記載された次のとおりのものである。 
「【請求項１】  
　予め定められた判定条件の成立に起因して、遊技の当り外れの当否判定を行う当否判定手段と、
　前記当否判定の判定結果を報知する報知手段と、
　遊技の進行状況に応じて遊技者による操作が求められる操作子を有する操作装置と、
　前記操作装置に設けられ、電力又は遊技者以外からの動力を受けて作動し、前記操作装置の状態を視認可能に変更させる状態変更手段と、
　予め定められた予告条件の成立に起因して、前記判定結果の報知前に前記操作子の操作を遊技者に求める操作要求手段と、
　前記操作要求手段の求めに応じて前記操作子が操作され、その後、前記操作子が操作されていない非操作状態の場合に、前記状態変更手段により視認可能な前記操作装置の状態を変更することで前記判定結果の当りの予告を行う予告制御手段とを備えたことを特徴とする遊技機。」  
２．原査定における拒絶の理由の概要 
　原査定の拒絶の理由は、 
  
理由１（新規性） 
　この出願の請求項１に係る発明は、その出願前に日本国内において頒布された以下の引用文献１に記載された発明であるから、特許法第２９条第１項第３号に該当し、特許を受けることができない。 
  
理由２（進歩性） 
　この出願の請求項１に係る発明は、その出願前に日本国内において頒布された以下の引用文献１に記載された発明に基いて、その出願前にその発明の属する技術の分野における通常の知識を有する者が容易に発明をすることができたものであるから、特許法第２９条第２項の規定により特許を受けることができない。 
 
というものである。 
　引用文献１．特開２０１５−７３８４０号公報 
３．引用文献  
　原査定の拒絶の理由に引用された引用文献１の記載事項及び引用発明は、上記第２の［理由］３．（２）刊行物に記載された事項に記載したとおりである。  
４．対比・判断  
　本願発明は、本件補正発明の発明特定事項から、上記第２の「１．本件補正の概要」で示した下線部に係る事項を省いたものであるから、上記第２の３．（３）で示した［相違点］に係る構成（「前記予告が前記操作装置のみで行われること」）が省かれることとなる。  
　そうすると、本願発明と引用発明との間に発明特定事項の相違点はない。
第４　むすび  
　以上のとおりであるから、本願発明は、引用発明であって、特許法第２９条第１項第３号に該当し、特許を受けることができない。 
　したがって、本願は拒絶すべきものである。  
　よって、結論のとおり審決する。